(57)【要約】【課題】紐などを使用しなくても初期回転を与えることができ、しかも初速を調整可能な回転器具を提供する。【解決手段】両側に突出する回転軸１２を備えた回転体１１と、前記回転軸１２を回転可能に支持する支持部２０と、前記回転軸１２の両端に臨む周溝２４を形成したレール部２３と、を備える。前記回転軸１２は、前記周溝２４内で傾くことで前記周溝２４の内側面２４ａに接触可能となっており、前記支持部２０は、前記周溝２４の周方向に回転可能である。【選択図】図６
2019051063.tif 000002
【特許請求の範囲】
【請求項１】
両側に突出する回転軸を備えた回転体と、
前記回転軸を回転可能に支持する支持部と、
前記回転軸の両端に臨む周溝を形成したレール部と、
を備え、
前記回転軸は、前記周溝内で傾くことで前記周溝の内側面に接触可能となっており、
前記支持部は、前記周溝の周方向に回転可能であることを特徴とする、回転器具。
【請求項２】
前記支持部および前記レール部は、外部から保持可能に露出していることを特徴とする、請求項１記載の回転器具。
【請求項３】
前記支持部は、前記回転体の周囲を覆うように球状で形成され、
前記レール部は、前記支持部の外周を覆うように環状に形成されていることを特徴とする、請求項１または２記載の回転器具。
【請求項４】
前記支持部が前記周溝の周方向に回転できないようにロック可能なロック機構を備えることを特徴とする、請求項１〜３のいずれか１項に記載の回転器具。
【請求項５】
前記支持部は、前記回転軸を一方向にのみ回転可能とするワンウェイ機構を備えることを特徴とする、請求項１〜４のいずれか１項に記載の回転器具。
【請求項６】
前記レール部は、前記回転軸に対して離接可能に設けられたフリクションパーツを備え、
前記フリクションパーツが前記回転軸に接触したときに、前記回転軸の回転力が前記レール部に伝達されるように構成されていることを特徴とする、請求項１〜５のいずれか１項に記載の回転器具。
【発明の詳細な説明】
【技術分野】
【０００１】
この発明は、掌で握って回転させる回転器具に関する。
【背景技術】
【０００２】
従来、掌で握って回転させる回転器具として、「パワーボール」「リストボール」「ダイナビー」などの名称で販売されている玩具またはトレーニング器具が存在する（例えば特許文献１参照）。この種の回転器具は、球形のケースと、ケースに内蔵された回転子とを備える。ケースの内側には、赤道に当たる位置に周溝が形成されており、この周溝に回転子の回転軸が支持されている。
【０００３】
こうした回転器具を使用する場合には、まず回転子に巻き付けた紐を引っ張るなどして回転子に初期回転を与える。その後、回転器具を握った状態で手首をタイミングよく回すと、回転軸が周溝の側面に接触して転動し、回転子を高速で回転させることができる。
【先行技術文献】
【特許文献】
【０００４】
【特許文献１】実用新案登録第３１３８７９３号公報
【発明の概要】
【発明が解決しようとする課題】
【０００５】
しかし、上記したような従来の回転器具では、初期回転を与えるために紐を巻き付けなければならず、作業が面倒であった。また、紐を使用せずに回転子を直接擦るようにして初期回転を与えることも可能ではあるが、初速が不十分となりやすいという問題があった。
【０００６】
そこで、本発明は、紐などを使用しなくても初期回転を与えることができ、しかも初速を調整することが可能な回転器具を提供することを課題とする。
【課題を解決するための手段】
【０００７】
本発明は、上記した課題を解決するためになされたものであり、以下を特徴とする。
【０００８】
請求項１記載の発明は、両側に突出する回転軸を備えた回転体と、前記回転軸を回転可能に支持する支持部と、前記回転軸の両端に臨む周溝を形成したレール部と、を備え、前記回転軸は、前記周溝内で傾くことで前記周溝の内側面に接触可能となっており、前記支持部は、前記周溝の周方向に回転可能であることを特徴とする。
【０００９】
請求項２に記載の発明は、上記した請求項１に記載の発明の特徴点に加え、前記支持部および前記レール部は、外部から保持可能に露出していることを特徴とする。
【００１０】
請求項３に記載の発明は、上記した請求項１又は２に記載の発明の特徴点に加え、前記支持部は、前記回転体の周囲を覆うように球状で形成され、前記レール部は、前記支持部の外周を覆うように環状に形成されていることを特徴とする。
【００１１】
請求項４に記載の発明は、上記した請求項１〜３のいずれかに記載の発明の特徴点に加え、前記支持部が前記周溝の周方向に回転できないようにロック可能なロック機構を備えることを特徴とする。
【００１２】
請求項５に記載の発明は、上記した請求項１〜４のいずれかに記載の発明の特徴点に加え、前記支持部は、前記回転軸を一方向にのみ回転可能とするワンウェイ機構を備えることを特徴とする。
【００１３】
請求項６に記載の発明は、上記した請求項１〜５のいずれかに記載の発明の特徴点に加え、前記レール部は、前記回転軸に対して離接可能に設けられたフリクションパーツを備え、前記フリクションパーツが前記回転軸に接触したときに、前記回転軸の回転力が前記レール部に伝達されるように構成されていることを特徴とする。
【発明の効果】
【００１４】
請求項１に記載の発明は上記の通りであり、回転軸を回転可能に支持する支持部を備え、支持部は周溝の周方向に回転可能である。このような構成によれば、支持部を周溝の周方向に回転させる操作を行うことで、回転軸を周溝の周方向に旋回させることができる。このとき、回転軸を傾けて周溝の内側面に接触させるようにすれば、回転軸が周溝上を転動するように作用するので、回転体を回転させることができる。回転軸の外周径は周溝の径よりも十分に小さいため、支持部を周溝の周方向に少しだけ（例えば１／４程度）回転させるだけで、回転軸（回転体）を何回転も（例えば１０回転以上）回転させることができる。言い換えると、支持部を周溝の周方向にゆっくりと回転させた場合でも、回転軸（回転体）を高速で回転させることができる。このように支持部を周溝の周方向に回転させる操作によって、紐などを使用しなくても回転体に十分な初期回転を与えることができる。しかも、支持部を回転させる量や速度を調整することで、回転体の初速を調整することができる。
【００１５】
また、請求項２に記載の発明は上記の通りであり、支持部およびレール部は、外部から保持可能に露出している。このような構成によれば、使用者が支持部およびレール部をそれぞれ掴んで相対的に回転させることで回転体を始動させることができる。すなわち、上記したような初期回転の付与に関し、操作性の良い回転器具を提供することができる。
【００１６】
また、請求項３に記載の発明は上記の通りであり、支持部は、回転体の周囲を覆うように球状で形成され、レール部は、支持部の外周を覆うように環状に形成されている。このような構成によれば、支持部の上下を一方の手で保持し、レール部の側部を他方の手で保持することができる。すなわち、両手を干渉させずに支持部およびレール部を掴むことができるので、上記したような初期回転の付与に関し、操作性の良い回転器具を提供することができる。
【００１７】
また、請求項４に記載の発明は上記の通りであり、支持部が周溝の周方向に回転できないようにロック可能なロック機構を備える。このような構成によれば、回転体に十分な勢いが付いたところで支持部をロックし、レール部に対する回転軸の傾きを固定することができる。回転軸の傾きを固定すると、レール部の内部で支持部と回転体とが一定的に回転することになるため、いわゆる「地球ゴマ」のような遊び方が可能となる。
【００１８】
また、請求項５に記載の発明は上記の通りであり、支持部は、回転軸を一方向にのみ回転可能とするワンウェイ機構を備える。このような構成によれば、回転軸を中心に支持部を回転させる操作を行うことで、回転体を始動させることができる。すなわち、支持部を回転させる操作を行ったときに、一方向への回転のみが回転体に伝わるため、回転体に回転力を付与して始動させることができる。
【００１９】
また、請求項６に記載の発明は上記の通りであり、フリクションパーツが回転軸に接触したときに、回転軸の回転力がレール部に伝達されるように構成されている。このような構成によれば、フリクションパーツを回転軸に接触させることで、レール部を回転体と一体的に回転させることができる。レール部が回転体と一体的に回転するようにすれば、回転器具が一体的に回転するので、一般的な「コマ」のような遊び方が可能となる。
【図面の簡単な説明】
【００２０】
【図１】回転器具の外観斜視図である。
【図２】回転器具の分解斜視図である。
【図３】回転器具を別の方向から見た分解斜視図である。
【図４】支持部の分解斜視図である。
【図５】支持部を別の方向から見た分解斜視図である。
【図６】回転器具の（ａ）断面図、（ｂ）Ａ部拡大断面図である。
【図７】回転器具の正面図であって、（ａ）支持部をロックする前の図、（ｂ）支持部をロックした後の図である。
【図８】ワンウェイ機構の断面図であって、（ａ）回転が許容された状態の図、（ｂ）回転が制止された状態の図である。
【図９】フリクションパーツが回転軸に接触してない状態の（ａ）断面図、（ｂ）Ｂ部拡大断面図である。
【図１０】フリクションパーツが回転軸に接触した状態の（ａ）断面図、（ｂ）Ｃ部拡大断面図である。
【図１１】回転器具の正面図であって、支持部を斜めにロックした状態の図である。
【図１２】支持部とレール部とを相対回転させることで回転体を始動させようとする様子を示す図である。
【図１３】回転器具全体を回転させることで回転体を始動させようとする様子を示す図である。
【発明を実施するための形態】
【００２１】
本発明の実施形態について、図を参照しながら説明する。
本実施形態に係る回転器具１０は、掌で握って使用するものであり、手首を回転させるタイミングによって回転体１１の回転数が次第に上がっていく仕組みとなっている。この回転器具１０は、図１〜３に示すように、回転体１１と、支持部２０と、レール部２３と、を備える。
【００２２】
回転体１１は、重心に回転軸１２を備え、回転軸１２を中心に回転する部材である。この回転体１１は、質量が大きく、慣性モーメントが大きい部材である。すなわち、回転体１１は、初期回転を与えるために大きなトルクを必要とするが、回転中の速度変化は緩やかになるように形成されている。
【００２３】
この回転体１１の回転軸１２は、図４および図５に示すように、回転体１１の両側に突出しており、後述する支持部２０によって回転可能に支持されている。また、この回転軸１２には、後述するワンウェイ機構１４に噛合するギア１３が取り付けられている。この回転軸１２およびギア１３は、回転体１１に固定されており、回転体１１と一体的に回転する。
【００２４】
支持部２０は、回転体１１（回転軸１２）を回転可能に支持するためのものである。この支持部２０は、図４および図５に示すように、一対の分割体２１と、スペーサ２２と、ワンウェイ機構１４と、ベアリング１７と、を備える。
【００２５】
一対の分割体２１は、それぞれ、図４および図５に示すような半球ドーム状の部材である。この一対の分割体２１は、互いに接合することで、回転体１１の周囲を覆う球状となるように形成されている。
【００２６】
この分割体２１は、一対の分割体２１の接合箇所となるリング状部２１ｂと、リング状部２１ｂから半円弧状に突出するアーチ状部２１ｃと、を備える。アーチ状部２１ｃは、頂点付近で交差するように複数本設けられており、これにより、回転体１１の周囲がアーチ状部２１ｃで覆われるようになっている。
【００２７】
なお、リング状部２１ｂには、後述するロックパーツ２７（係合凸部２７ａ）を係合させるための係合凹部２１ａが形成されている。係合凹部２１ａは、リング状部２１ｂの表面に形成された溝であり、後述する係合凸部２７ａを摺動案内するために、リング状部２１ｂの直径方向に延設されている。
【００２８】
スペーサ２２は、一対の分割体２１を合体させるときに、その接合面に挟み込まれる板状の部材である。このスペーサ２２は、図２および図３に示すように、分割体２１よりも外周方向に突出しており、この突出した部分が略円形のフランジとなっている。このフランジは、図８に示すように、後述する周溝２４の内部に挿入されている。このフランジは、回転軸１２の径よりも薄く形成されており、これにより回転軸１２と周溝２４との接触を妨げないようになっている。
【００２９】
ワンウェイ機構１４は、回転軸１２を一方向にのみ回転可能とするための機構である。このワンウェイ機構１４は、図４および図５に示すように、分割体２１の内部に固定されるギアボックス１５と、ギアボックス１５の内部に収容されるワンウェイギア１６と、を備える。
【００３０】
ギアボックス１５の内部には、図８に示すように、回転軸１２に固定されたギア１３と、このギア１３に噛合するワンウェイギア１６と、が収容されている。ワンウェイギア１６に臨むギアボックス１５の内周面は非対称で形成されている。詳しくは、一方の周面は、滑らかに曲線的に形成されて転動面１５ａとなっており、他方の周面は、直線的に形成されて角部１５ｂを有している。
【００３１】
このため、回転軸１２が回転を許容された方向に回転したとき（本実施形態においては、図８（ａ）に示すように時計回りで回転したとき）には、ワンウェイギア１６が転動面１５ａに接触しながら転動し、回転軸１２の回転を妨げないようになっている。
【００３２】
一方、回転軸１２が回転を禁止された方向に回転したとき（本実施形態においては、図８（ｂ）に示すように反時計回りで回転したとき）には、ワンウェイギア１６が角部１５ｂに引っ掛かり、回転軸１２の回転を阻止するようになっている。
【００３３】
ベアリング１７は、回転軸１２をスムーズに回転させるためのものであり、分割体２１の内部に固定されている。このベアリング１７は、回転軸１２を挿通するための挿通孔を有する。回転軸１２をベアリング１７に挿通することで、回転軸１２の滑らかな回転が実現される。
【００３４】
レール部２３は、支持部２０の外周を覆うように環状に形成された部材である。具体的には、図１に示すように、球状の支持部２０の外周に環状のレール部２３が設けられており、土星の環状となっているため、支持部２０の外周がすべてレール部２３で覆われていない。このため、支持部２０およびレール部２３のそれぞれが外部から保持可能に露出している（図１２参照）。なお、このレール部２３の内周面には、回転軸１２の両端に臨む周溝２４が形成されている。
【００３５】
このレール部２３は、図２および図３に示すように、一対の溝形成部材２５と、一対のロックガイド部材２６と、一対のロックパーツ２７と、フリクションパーツ２８と、を備える。
【００３６】
一対の溝形成部材２５は、互いに接合可能なリング状の部材であり、接合面の間に周溝２４を形成するようになっている。周溝２４は、内周側を開口させた円形の溝であり、回転軸１２の両端を回転可能に保持している。詳しくは、回転軸１２の長さは、周溝２４の開口縁の直径よりも長く、周溝２４の最奥部の直径よりも短く設定されている。このため、回転軸１２は、周溝２４の直径方向に架設された状態となっている。このように構成することで、回転軸１２（回転体１１）は、回転軸１２の軸方向中間付近を中心にして、周溝２４の周方向に回転可能となっている。
【００３７】
なお、周溝２４の開口幅（図６における上下の幅）は回転軸１２の直径よりも大きく設定されている。このため、回転軸１２は、周溝２４の内部で傾くことが可能となっている。回転軸１２を周溝２４内で傾けると、図６に示すように、回転軸１２の外周面が周溝２４の内側面２４ａに接触する。このように回転軸１２の外周面を周溝２４の内側面２４ａに接触させた状態で、支持部２０を周溝２４の周方向に回転させると（図６（ａ）上部の矢印）、回転軸１２が周溝２４の内側面２４ａの上を転動して軸回転するようになっている（図６（ａ）左部の矢印）。
【００３８】
すなわち、本実施形態においては、支持部２０が回転軸１２を軸支しており、支持部２０は回転体１１と一体的に周溝２４の周方向に回転可能である。このため、回転軸１２の外周面を周溝２４の内側面２４ａに接触させた状態で、支持部２０を周溝２４の周方向に回転させることで、回転軸１２に軸方向の回転力を付与することができる。
【００３９】
なお、この溝形成部材２５は、後述するロックパーツ２７の摺動をガイドするためのロックガイド溝２５ａを備えている（図２および図３参照）。ロックガイド溝２５ａは、ロックパーツ２７の摺動をガイドするための溝であり、２つのロックパーツ２７をガイドするために左右の２箇所に設けられている。このロックガイド溝２５ａに取り付けられたロックパーツ２７は、溝形成部材２５の直径方向に摺動可能となっている。
【００４０】
また、この溝形成部材２５は、表裏面に突出するピン２５ｂを備えている。このピン２５ｂは、後述するロックガイド部材２６の回転をガイドするための突起である。このピン２５ｂは、後述するピンガイド孔２６ｂに挿入される。
【００４１】
また、この溝形成部材２５のいずれか一方には、外周方向に突出する突出軸２５ｃが設けられている。この突出軸２５ｃは、回転体１１の中心を通過する線上に形成されており、回転器具１０を「コマ」として使用する場合の軸として使用可能である。また、この突出軸２５ｃは、後述する突出軸部２８ｂと同軸で形成されている。
【００４２】
また、この一対の溝形成部材２５は、後述するフリクションパーツ２８の摺動をガイドするためのフリクションガイド溝２５ｄを備えている。このフリクションガイド溝２５ｄに取り付けられたフリクションパーツ２８は、溝形成部材２５の直径方向に摺動可能となっている。
【００４３】
一対のロックガイド部材２６は、上述した溝形成部材２５を外側から挟み込むように設けられるリング状の部材である。この一対のロックガイド部材２６には、ロックパーツガイド孔２６ａと、ピンガイド孔２６ｂと、が貫通形成されている。
【００４４】
ロックパーツガイド孔２６ａは、後述するロックパーツ２７のガイド突起２７ｂが摺動可能に係合する長孔である。ロックパーツガイド孔２６ａの幅は、ガイド突起２７ｂの直径とほぼ等しく形成されており、ガイド突起２７ｂを長手方向に摺動案内できるように形成されている。なお、ロックパーツガイド孔２６ａの延設方向は、ロックガイド部材２６の周方向およびロックガイド部材２６の直径方向に対して斜めの方向に設定されている。
【００４５】
ピンガイド孔２６ｂは、溝形成部材２５のピン２５ｂが摺動可能に係合する長孔である。ピンガイド孔２６ｂの幅は、ピン２５ｂの直径とほぼ等しく形成されており、ピン２５ｂを長手方向に摺動案内できるように形成されている。なお、ピンガイド孔２６ｂの延設方向は、ロックガイド部材２６の周方向とほぼ等しく設定されている。
【００４６】
このようにロックパーツガイド孔２６ａおよびピンガイド孔２６ｂを設けることで、一対のロックガイド部材２６は、溝形成部材２５やロックパーツ２７に対して周方向に所定範囲内で変位可能となっている。
【００４７】
一対のロックパーツ２７は、支持部２０が周溝２４の周方向に回転できないようにロックするロック機構を構成するものである。このロックパーツ２７は、溝形成部材２５のロックガイド溝２５ａに対して摺動可能に取り付けられる。一対のロックパーツ２７は、互いに対向するように配置され、互いに接近する方向に摺動可能となっている。
【００４８】
このロックパーツ２７は、支持部２０の係合凹部２１ａに係合可能な係合凸部２７ａを備える。係合凸部２７ａは、ロックパーツ２７の先端に形成されており、ロックパーツ２７を中心方向に押し込んだときに係合凹部２１ａに係合する。係合凸部２７ａが係合凹部２１ａに係合すると、ロックパーツ２７（レール部２３）に対して支持部２０が回転できない状態となる。一方、ロックパーツ２７を外周方向に引き出せば、係合凸部２７ａと係合凹部２１ａとの係合が解除されるので、ロックパーツ２７（レール部２３）に対して支持部２０が回転可能な状態となる。
【００４９】
また、このロックパーツ２７は、外周方向に突出する操作突起２７ｃを備える。ユーザがロックパーツ２７によるロックをしたいときには、この操作突起２７ｃを押し込む操作を行うことで、容易にロックパーツ２７を中心方向に移動させることができる。
【００５０】
また、このロックパーツ２７は、上述したロックパーツガイド孔２６ａに摺動可能に係合するガイド突起２７ｂを備える。ガイド突起２７ｂがロックパーツガイド孔２６ａに係合しているため、ロックガイド部材２６を回転させたときに、その回転力がガイド突起２７ｂを介してロックパーツ２７へ伝達され、ロックパーツ２７を外周方向へ移動させる力に変換されるようになっている。言い換えると、ユーザがロックパーツ２７によるロックを解除したいときには、ロックガイド部材２６を回転させる操作を行うことでロックパーツ２７を外周方向に引き出すことができる。
【００５１】
フリクションパーツ２８は、回転軸１２の回転力をレール部２３に伝達するか否かを切り替えるためのものである。このフリクションパーツ２８は、溝形成部材２５のフリクションガイド溝２５ｄに対して摺動可能に取り付けられる。具体的には、このフリクションパーツ２８は、フリクションガイド溝２５ｄに係合する脚部２８ａを備えており、この脚部２８ａがガイドされることで、回転軸１２に対して離接可能に設けられている。
【００５２】
このフリクションパーツ２８は、外周方向に突出する突出軸部２８ｂを備える。ユーザが回転軸１２の回転力をレール部２３に伝達するようにしたい場合には、この突出軸部２８ｂを押し込む操作を行うことで、容易にフリクションパーツ２８を中心方向に移動させることができる。また、ユーザが回転軸１２の回転力をレール部２３に伝達したくない場合には、この突出軸部２８ｂを引き出す操作を行うことで、容易にフリクションパーツ２８を外周方向に移動させることができる。
【００５３】
このフリクションパーツ２８の中央には、図９および図１０に示すように、内側突出部２８ｃが設けられている。内側突出部２８ｃは、回転軸１２の端部に臨むように設けられており、先端部に接触凹部２８ｄを備える。フリクションパーツ２８を摺動させることで、この接触凹部２８ｄが回転軸１２の端部に接触しない非接触状態（図９参照）と、この接触凹部２８ｄが回転軸１２の端部に接触する接触状態（図１０参照）とをとり得るようになっている。接触凹部２８ｄが回転軸１２の端部に接触すると、回転軸１２の回転力がレール部２３に伝達される。
【００５４】
上記した回転器具１０を使用する場合、まず回転体１１に初期回転を与える必要がある。本実施形態においては、回転体１１に初期回転を与える手段として、２つの操作方法が提供されている。なお、ここでは２つの操作方法について説明しているが、初期回転を与える手段としては下記に限らず、従来のように、紐やラックベルト、ゼンマイなどを使用して回転体１１に初期回転を与えるようにしてもよい。
【００５５】
初期回転を与えるための１つ目の操作方法は、図１２に示すように、一方の手で支持部２０を掴み、他方の手でレール部２３を掴むことで、支持部２０とレール部２３とを相対回転させるやり方である。例えば、支持部２０を固定した状態で、レール部２３が支持部２０の周囲を回転するように操作する。このとき、支持部２０をレール部２３に対して傾けるようにし、回転軸１２の外周部を周溝２４の内側面２４ａに接触させるようにする（図６の状態）。周溝２４の内側面２４ａに接触した回転軸１２は、周溝２４の内側面２４ａの上を転動して軸回転する。よって、支持部２０を周溝２４の周方向にゆっくりと回転させるだけで、回転軸１２（回転体１１）を高速で軸回転させることができる。これにより、回転体１１に十分な初期回転を与えることができる。
【００５６】
また、初期回転を与えるための２つ目の操作方法は、図１３に示すように、指先で突出軸２５ｃなどを摘まみ、回転器具１０全体を回転させるやり方である。このように回転器具１０全体を回転させた場合、ワンウェイ機構１４によって一方向の回転のみが回転体１１に伝達され、他方向の回転は回転体１１に伝達されない。これにより、回転体１１に初期回転を与えることができる。
【００５７】
上記のように回転体１１に初期回転が与えられたら、従来の回転器具１０と同様に、レール部２３を掌で掴んで手首をひねりながら回転させる。手首をひねる角度や回転させるタイミングが適切であれば、回転体１１の回転の勢いが増していき、回転を安定させることができる。
【００５８】
そして、回転が安定してきたら、ロック機構を使用して支持部２０をレール部２３に対して固定してもよい。すなわち、図７（ａ）に示すように、ロックパーツ２７を両側から中央に押し込むように操作すれば、係合凸部２７ａが支持部２０の係合凹部２１ａに係合し、支持部２０がレール部２３（周溝２４）に対して回転できない状態となる。なお、ロックパーツ２７を押し込み操作すると、ガイド突起２７ｂがロックパーツガイド孔２６ａを押すので、それに伴い、ロックガイド部材２６が溝形成部材２５に対して所定角度だけ周方向に回転する。このときの回転移動は、ピン２５ｂとピンガイド孔２６ｂとの係合によってガイドされている。
【００５９】
このように支持部２０をレール部２３に対して固定すると、レール部２３と支持部２０とが水平な状態で固定されるため、回転軸１２が周溝２４に対して非接触となる。よって、回転軸１２は、周溝２４に干渉せずに回転可能となる。そして、レール部２３に対する回転軸１２の角度が固定された状態で、レール部２３とは独立して回転体１１が回転するため、いわゆる「地球ゴマ」のような遊び方が可能となる。具体的には、突出軸２５ｃなどを接地させて回転器具１０を立てると、レール部２３自体はほとんど回転していないのに、レール部２３の内部で高速回転する回転体１１のジャイロ効果で、回転器具１０を直立させることができる。このとき、レール部２３を掴んだり触ったりしても回転数は落ちないので、普通の「コマ」とは異なる遊び方が可能となる。
【００６０】
なお、本実施形態に係るロック機構は、支持部２０の周方向に所定間隔で係合凹部２１ａを設けることにより、回転軸１２の固定角度が決定されるようになっている。係合凹部２１ａの配設間隔は、回転軸１２を４５度ごとに固定可能としている。具体的には、図７（ｂ）に示すように、回転軸１２が、突出軸２５ｃや突出軸部２８ｂと同軸になるように固定することも可能であるし、図１１に示すように、回転軸１２が、突出軸２５ｃや突出軸部２８ｂに対して傾いた状態（本実施形態においては、回転軸１２と突出軸２５ｃまたは突出軸部２８ｂと４５度の角を成す状態）で固定することも可能である。このように、回転軸１２の固定角度を変更可能とすれば、回転軸１２の固定角度に合わせて回転器具１０の動作を変えることができる。
【００６１】
また、支持部２０をレール部２３に対して固定した状態から、更にフリクションパーツ２８を操作して、フリクションパーツ２８を回転軸１２に接触させてもよい。すなわち、図１０に示すように、フリクションパーツ２８を押し込む操作を行うことで、接触凹部２８ｄに回転軸１２を係合させ、回転軸１２の回転力がレール部２３に伝達されるようにしてもよい。このようにすれば、レール部２３と回転体１１とが一体的に回転するようになる。すなわち、回転器具１０全体が一体的に回転するため、普通の「コマ」のような遊び方が可能となる。
【００６２】
なお、フリクションパーツ２８を回転軸１２から離反させる場合には、突出軸部２８ｂを摘まんで引っ張れば、図９に示すように、接触凹部２８ｄと回転軸１２との接触が解除される。
【００６３】
また、ロック機構を解除する場合には、図７（ｂ）に示すように、ロックガイド部材２６を溝形成部材２５に対して回転させる。このような操作により、ガイド突起２７ｂがロックパーツガイド孔２６ａに沿って外周方向へと押し出され、ロックパーツ２７が外周方向へと摺動する。ロックパーツ２７が外側に移動することで、係合凸部２７ａと係合凹部２１ａとの係合が解除され、支持部２０はレール部２３に対して周方向に回転可能な状態となる。
【００６４】
以上説明したように、本実施形態によれば、回転軸１２を回転可能に支持する支持部２０を備え、支持部２０は周溝２４の周方向に回転可能である。よって、支持部２０を周溝２４の周方向に回転させる操作を行うことで、回転軸１２を周溝２４の周方向に旋回させることができる。このとき、回転軸１２を傾けて周溝２４の内側面２４ａに接触させるようにすれば、回転軸１２が周溝２４上を転動するように作用するので、回転体１１を回転させることができる。回転軸１２の外周径は周溝２４の径よりも十分に小さいため、支持部２０を周溝２４の周方向に少しだけ（例えば１／４程度）回転させるだけで、回転軸１２（回転体１１）を何回転も（例えば１０回転以上）回転させることができる。言い換えると、支持部２０を周溝２４の周方向にゆっくりと回転させた場合でも、回転軸１２（回転体１１）を高速で回転させることができる。このように支持部２０を周溝２４の周方向に回転させる操作によって、紐などを使用しなくても回転体１１に十分な初期回転を与えることができる。しかも、支持部２０を回転させる量や速度を調整することで、回転体１１の初速を調整することができる。
【００６５】
また、支持部２０およびレール部２３は、外部から保持可能に露出している。このため、図１２に示すように、使用者が支持部２０およびレール部２３をそれぞれ掴んで相対的に回転させることで回転体１１を始動させることができる。すなわち、上記したような初期回転の付与に関し、操作性の良い回転器具１０を提供することができる。
【００６６】
また、支持部２０は、回転体１１の周囲を覆うように球状で形成され、レール部２３は、支持部２０の外周を覆うように環状に形成されている。このような構成によれば、図１２に示すように、支持部２０の上下を一方の手で保持し、レール部２３の側部を他方の手で保持することができる。すなわち、両手を干渉させずに支持部２０およびレール部２３を掴むことができるので、上記したような初期回転の付与に関し、操作性の良い回転器具１０を提供することができる。
【００６７】
また、支持部２０が周溝２４の周方向に回転できないようにロック可能なロック機構を備える。よって、回転体１１に十分な勢いが付いたところで支持部２０をロックし、レール部２３に対する回転軸１２の傾きを固定することができる。回転軸１２の傾きを固定すると、レール部２３の内部で支持部２０と回転体１１とが一定的に回転することになるため、いわゆる「地球ゴマ」のような遊び方が可能となる。
【００６８】
また、支持部２０は、回転軸１２を一方向にのみ回転可能とするワンウェイ機構１４を備える。よって、回転軸１２を中心に支持部２０を回転させる操作を行うことで、回転体１１を始動させることができる。すなわち、支持部２０を回転させる操作を行ったときに、一方向への回転のみが回転体１１に伝わるため、回転体１１に回転力を付与して始動させることができる。
【００６９】
また、フリクションパーツ２８が回転軸１２に接触したときに、回転軸１２の回転力がレール部２３に伝達されるように構成されている。よって、フリクションパーツ２８を回転軸１２に接触させることで、レール部２３を回転体１１と一体的に回転させることができる。レール部２３が回転体１１と一体的に回転するようにすれば、回転器具１０が一体的に回転するので、一般的な「コマ」のような遊び方も可能となる。
【符号の説明】
【００７０】
１０  回転器具
１１  回転体
１２  回転軸
１３  ギア
１４  ワンウェイ機構
１５  ギアボックス
１５ａ  転動面
１５ｂ  角部
１６  ワンウェイギア
１７  ベアリング
２０  支持部
２１  分割体
２１ａ  係合凹部
２１ｂ  リング状部
２１ｃ  アーチ状部
２２  スペーサ
２３  レール部
２４  周溝
２４ａ  内側面
２５  溝形成部材
２５ａ  ロックガイド溝
２５ｂ  ピン
２５ｃ  突出軸
２５ｄ  フリクションガイド溝
２６  ロックガイド部材
２６ａ  ロックパーツガイド孔
２６ｂ  ピンガイド孔
２７  ロックパーツ
２７ａ  係合凸部
２７ｂ  ガイド突起
２７ｃ  操作突起
２８  フリクションパーツ
２８ａ  脚部
２８ｂ  突出軸部
２８ｃ  内側突出部
２８ｄ  接触凹部
【図１】
2019051063.tif 000003
【図２】
2019051063.tif 000004
【図３】
2019051063.tif 000005
【図４】
2019051063.tif 000006
【図５】
2019051063.tif 000007
【図６】
2019051063.tif 000008
【図７】
2019051063.tif 000009
【図８】
2019051063.tif 000010
【図９】
2019051063.tif 000011
【図１０】
2019051063.tif 000012
【図１１】
2019051063.tif 000013
【図１２】
2019051063.tif 000014
【図１３】
2019051063.tif 000015